(57)【要約】【課題】毛材への液体の供給を容易に行うことができ、かつ周囲を汚さない刷毛を提供することを目的とする。【解決手段】本発明の刷毛１は、本体部２と、本体部２から延びる、複数の合成樹脂製の毛材３と、毛材３の延在方向と逆方向に本体部２から延び、内部に液体を貯留可能な貯留空間を有する把持容器４とを備え、本体部２は、貯留空間内から毛材３の基端３ｂ側へと連通する連通路２２を備えていることを特徴とする。【選択図】図１
2017225590.tif 000002
【特許請求の範囲】
【請求項１】
食品に液体を塗布するための刷毛であって、
前記刷毛が、
本体部と、
前記本体部から延びる、複数の合成樹脂製の毛材と、
前記毛材の延在方向と逆方向に前記本体部から延び、内部に前記液体を貯留可能な貯留空間を有する把持容器と
を備え、
前記本体部は、前記貯留空間内から前記毛材の基端側へと連通する連通路を備えている刷毛。
【請求項２】
前記把持容器が前記本体部と係合可能な係合部を備え、前記本体部は、前記係合部が係合される被係合部を備え、前記把持容器および前記本体部が着脱可能に構成されている請求項１記載の刷毛。
【請求項３】
前記把持容器が外部から押圧可能な可撓性を有し、前記把持容器の外周が押圧されることにより、内部の液体が前記本体部に向かって供給されるように構成されている請求項１または２記載の刷毛。
【請求項４】
前記把持容器が、外部から押圧可能な可撓性を有する被押圧部と、前記被押圧部よりも剛性が高い、前記把持容器を把持するための把持部とを備えている請求項１または２記載の刷毛。
【請求項５】
前記把持容器が、前記液体を貯留する、外部から押圧可能な可撓性を有する袋状の内層と、前記内層の外側を少なくとも部分的に覆い、前記袋状の内層よりも剛性が高い外層とを備え、
前記被押圧部が、前記外層に被覆されていない内層の部位により構成され、
前記把持部が、前記外層により構成されている請求項４記載の刷毛。
【発明の詳細な説明】
【技術分野】
【０００１】
本発明は、食品上に液体を塗布するための刷毛に関する。
【背景技術】
【０００２】
従来、食品加工工場などにおいて、パン、クッキー、ケーキ、ハンバーグなどの食品に卵黄、卵白、ハチミツ、シロップ、ソースなどの液体を塗布するために、動物性および植物性の毛材を用いた刷毛が用いられてきた。しかし、近年では、食品衛生上の問題から刷毛に動物性および植物性の毛材が用いられることがなくなり、たとえば特許文献１に示されるように、動物性および植物性の毛材のかわりに合成樹脂製の毛材が用いられるようになってきている。
【先行技術文献】
【特許文献】
【０００３】
【特許文献１】特開２００７−１９０１８９号公報
【発明の概要】
【発明が解決しようとする課題】
【０００４】
しかし、刷毛の毛材が合成樹脂により形成されると、合成樹脂特有の高い撥水性により、毛材上で液体を長時間保持することができない。したがって、毛材を液体に浸けた後、刷毛を食品の上側に持ってくるまでの間に、毛材に付着した大部分の液体が毛材からこぼれ落ちてしまう。そのため、食品に液体を塗布する毎に毛材を液体に浸ける必要があり、その手間がかかるだけでなく、液体が収容された容器と食品の間に多くの液体がこぼれ落ちるため、液体がこぼれ落ちた箇所の清掃に手間を要するという問題が生じる。
【０００５】
そこで、本発明はかかる問題点に鑑みて、毛材への液体の供給を容易に行うことができ、かつ周囲を汚さない刷毛を提供することを目的とする。
【課題を解決するための手段】
【０００６】
本発明の刷毛は、食品に液体を塗布するための刷毛であって、前記刷毛が、本体部と、前記本体部から延びる、複数の合成樹脂製の毛材と、前記毛材の延在方向と逆方向に前記本体部から延び、内部に前記液体を貯留可能な貯留空間を有する把持容器とを備え、前記本体部は、前記貯留空間内から前記毛材の基端側へと連通する連通路を備えていることを特徴とする。
【０００７】
また、前記把持容器が前記本体部と係合可能な係合部を備え、前記本体部は、前記係合部が係合される被係合部を備え、前記把持容器および前記本体部が着脱可能に構成されていることが好ましい。
【０００８】
また、前記把持容器が外部から押圧可能な可撓性を有し、前記把持容器の外周が押圧されることにより、内部の液体が前記本体部に向かって供給されるように構成されていることが好ましい。
【０００９】
また、前記把持容器が、外部から押圧可能な可撓性を有する被押圧部と、前記被押圧部よりも剛性が高い、前記把持容器を把持するための把持部とを備えていることが好ましい。
【００１０】
また、前記把持容器が、前記液体を貯留する、外部から押圧可能な可撓性を有する袋状の内層と、前記内層の外側を少なくとも部分的に覆い、前記袋状の内層よりも剛性が高い外層とを備え、前記被押圧部が、前記外層に被覆されていない内層の部位により構成され、前記把持部が、前記外層により構成されていることが好ましい。
【発明の効果】
【００１１】
本発明の刷毛によれば、塗布する液体を連続して供給することができ、作業効率が向上し、液体が周囲にたれることを防止することができる。
【図面の簡単な説明】
【００１２】
【図１】本発明の第１実施形態の刷毛の本体部と把持容器とが分離された状態を示す正面図である。
【図２】図１の刷毛の本体部と把持容器とが取り付けられた状態を示す側面図である。
【図３】本体部に設けられた弁体を示す図である。
【図４】把持容器が倒立状態で載置された状態を示す図である。
【図５】本発明の第２実施形態の刷毛を示す図である。
【図６】本発明の第３実施形態の刷毛を示す図である。
【図７】本発明の第４実施形態の刷毛を示す図である。
【発明を実施するための形態】
【００１３】
以下、図面を参照し、本発明の一実施形態の刷毛を詳細に説明する。以下に示す実施形態の刷毛は、あくまで一例であり、本発明の刷毛は、以下に示す実施形態に限定されるものではない。
【００１４】
本実施形態の刷毛は、食品に液体を塗布するために用いられる。たとえば、以下に示す実施形態の刷毛は、食品加工工場などにおいて、パン、クッキー、ケーキ、ハンバーグなどの食品に卵黄、卵白、ハチミツ、シロップ、ソースなどの艶出し剤や液体調味料といった食品用液体（液体）を塗布するための食品用途として有利に用いることができる。
【００１５】
＜第１実施形態＞
図１および図２に示されるように、本実施形態の刷毛１は、本体部２と、本体部２から延びる、複数の合成樹脂製の毛材３と、毛材３の基端３ｂから先端３ａに向かう延在方向（図１中、上側）と逆方向に本体部２から延び、内部に液体を貯留可能な貯留空間を有する把持容器４とを備えている。本実施形態の刷毛１は、把持容器４内に食品に塗布される液体が収容され、把持容器４から毛材３に向かって適宜液体を供給することができ、毛材３の基端３ｂ側から先端３ａ側に向かって供給された液体を、毛材３により食品に塗布する。
【００１６】
毛材３は、可撓性を有する柔軟な合成樹脂材料により形成され、食品に液体を塗布する。毛材３は、図１および図２に示されるように、その基端３ｂ側が本体部２につながり、その先端３ａ側が食品に摺接されて、食品に液体を塗布する。なお、本明細書において、毛材３の「基端３ｂ」は、毛材３の本体部２に近い側の端部であり、「基端３ｂ側」は、基端３ｂおよび基端３ｂの近傍を意味する。また、毛材３の「先端３ａ」は、基端３ｂとは反対側の毛材３の自由端であり、「先端３ａ側」は、先端３ａおよび先端３ａの近傍を意味する。なお、毛材３の基端３ｂと本体部２との間の接続方法は特に限定されないが、たとえば、毛材３を本体部２と一体成形することにより接続することができる。また、毛材３の形成に用いられる合成樹脂としては、公知の合成樹脂製の刷毛に用いられる合成樹脂材料を用いることができる。毛材３の材料は、たとえば、コストや衛生上の観点からシリコーンゴム、エチレンプロピレンジエンゴム（ＥＰＤＭ）、ニトリルゴム、フッ素ゴムなどの合成ゴムや、オレフィン系エラストマーなどのプラスチックエラストマーなどを好適に用いることができる。
【００１７】
図１および図２に示されるように、毛材３は、本体部２から複数本延びている。本実施形態では、複数の細長い毛材３は、図１および図２に示されるように、互いに略平行に同方向に直線的に延びている。より具体的には、複数の毛材３は、各毛材３の延在方向に垂直な第１の方向（図１中、左右方向）に並んだ毛材群が、第１の方向に垂直な第２の方向（図２中、左右方向）に複数並んで、各毛材３が行（毛材３の束の長手方向）・列（毛材３の束の短手方向）をなすように配置されている。これにより、本実施形態では、複数の毛材３の束の外周が、略長円状または略長方形状となっている。なお、複数の毛材３の配置は、図示する配置に限定されるものではなく、毛材３の束の外周が略円形や略楕円状など、公知の配置とすることができる。また、本実施形態では、毛材３は、先端３ａが半球状に形成されているが、毛材３の先端３ａの形状は特に限定されず、基端３ｂ側から先端３ａ側にかけて略同径のものを用いても構わない。
【００１８】
本体部２は、毛材３を束ねた状態で保持可能な部材である。本体部２は、複数の毛材３の配置に応じて適宜変更されるブロック状に形成される。本実施形態では、複数の毛材３の束の外周部が、略長円状または略長方形状に形成され、本体部２はその複数の毛材３の束の外周部に応じた形状を呈しているが、本体部２の形状は特に限定されない。また、本体部２の材料は特に限定されず、公知の刷毛に用いられる材料で形成することができる。毛材３と本体部２とは別材料で形成してもよいが、同材料で形成することが好ましい。たとえば、本体部２の材料としては、合成樹脂製とすることができ、コストや衛生上の観点からシリコーンゴム、エチレンプロピレンジエンゴム（ＥＰＤＭ）、ニトリルゴム、フッ素ゴムなどの合成ゴムや、オレフィン系エラストマーなどのプラスチックエラストマーなどを好適に用いることができる。
【００１９】
本体部２は、図１および図２に示されるように、毛材３の基端３ｂが設けられる一端２ａと、把持容器４が設けられる他端２ｂとを有している。本実施形態では、図１に示されるように、本体部２は、把持容器４が着脱可能となるように構成されている。本実施形態では、本体部２は被係合部２１を有し、この被係合部２１に把持容器４の係合部４１が係合する。より具体的には、被係合部２１は、図１に示されるように、本体部２の他端２ｂに形成された凹部に雌ネジが形成され、係合部４１に形成された雄ネジが螺合するように構成されている。このように、把持容器４と本体部２とを着脱可能とした場合、把持容器４および本体部２を分離して洗浄することができ、洗浄が容易となり、液体の把持容器４内への補充作業も容易となる。
【００２０】
本体部２は、図１に示されるように、把持容器４内の貯留空間側から毛材３の基端３ｂ側へと連通する連通路２２を有している。連通路２２は、把持容器４内の貯留空間内に収容された食品に塗布される液体を、毛材３の基端３ｂ側へと供給するための供給路となる。連通路２２は、把持容器４から供給される液体を毛材３側に円滑に供給できる大きさであれば特にその大きさは限定されない。本実施形態では、連通路２２には、図１〜図３に示されるように、弁体２３が設けられている。弁体２３は、連通路２２を通る液体を遮断することができ、後述するように把持容器４に所定の操作を加えることにより、弁体２３が開放し、連通路２２へ（または毛材３の基端３ｂへ）と液体が供給される。したがって、毛材３に充分に液体が供給されているときや、刷毛１を１つの食品から他の食品に向かって移動させるときなどに、液体の供給を停止させることができ、液体が不足したときは、所望の量の液体を毛材３側へと供給することができる。そのため、液体を無駄に消費することがなく、刷毛１を移動させるときに周囲を汚すことがない。
【００２１】
本実施形態では、図１および図２に示されるように、弁体２３は本体部２の被係合部２１に形成された凹部と、連通路２２の端部との間に設けられているが、弁体２３を設ける場所は、連通路２２の長手方向の中央部や、連通路２２の毛材３の基端３ｂ側の端部であてもよい。また、本実施形態では、弁体２３は、図３に示されるように、膜状部材に切り込みを形成したものが示されているが、弁として機能するものであれば、その構造は特に限定されない。
【００２２】
また、本実施形態では、毛材３の束の中央部に設けられた１つの連通路２２により、本体部２の他端２ｂ側と一端２ａ側とを連通させているが、連通路２２は複数の毛材３に万遍なく液体を供給するために、本体部２の一端２ａ側に複数の連通路２２の開口（たとえば、図１における左右方向や、図２における左右方向に複数の開口）が形成されるように、複数の連通路２２が形成されていてもよい。
【００２３】
把持容器４は、刷毛１により液体を塗布する際に把持される部位である。また、把持容器４は内部に貯留空間を有し、内部に卵黄、卵白、ハチミツ、シロップ、ソースなどの艶出し剤や液体調味料といった食品用液体などの液体が貯留される。把持容器４は、刷毛１を使用する使用者が安定して持つことが可能な所定の大きさと形状を有している。把持容器４は、本実施形態では、外部から押圧可能な可撓性を有する可撓性材料により形成されている。把持容器４が可撓性材料から形成されることにより、把持容器４の外周が押圧されることにより圧力が加わり、必要なときに本体部２および毛材３側へと液体を供給することができる。
【００２４】
把持容器４は、本実施形態では、図１および図２に示されるように、液体が収容される容器として形成された容器本体４２を備えている。容器本体４２は、液体を収容することができればその形状は特に限定されない。本実施形態では、図１および図２に示されるように、容器本体４２は、容器本体４２を倒立状態で維持することが可能な底部４２ａと底部４２ａから延びる胴部４２ｂとを有している。底部４２ａは、容器本体４２を倒立状態で維持することができれば特に形状は限定されないが、たとえば、容器本体４２が倒立できるような平坦面として形成されるか、底部４２ａの周縁が底部４２ａの中央部に対して突出したもの等とすることができる。容器本体４２が底部４２ａを有していることにより、図４に示されるように、容器本体４２を倒立状態で維持することが可能となる。そのため、食品に液体を塗布しない間、把持容器４と本体部２と一体となった刷毛１を倒立させることが可能となり、容器本体４２内部の液体が毛材３側に供給されなくなる。そのため、刷毛１を一時的に使用しないときなど、把持容器４を倒立させることにより、周囲を汚さずに刷毛１を載置することができ、刷毛１を寝かせて置く場合などに必要な、仮置き用の受け皿なども必要なくなる。
【００２５】
また、把持容器４を倒立させる場合、毛材３に付着した液体が、本体部２や把持容器４に垂れないように、図４に示されるように、毛材３の基端３ｂの周囲を環状に取り囲む囲い部５を有していてもよい。囲い部５は、たとえば、図４に示されるように、毛材３の基端３ｂから毛材３の先端３ａ側に向かって立設された立設部を、毛材３の周囲に形成すればよい。
【００２６】
胴部４２ｂは、容器本体４２のうち使用者に把持される部位である。胴部４２ｂは、把持することが可能であれば、その形状は特に限定されない。胴部４２ｂは、たとえば略円柱状（図５参照）や、袋状、ペン形状などとすることができる。
【００２７】
係合部４１は、本実施形態では、図１に示されるように、容器本体４２の底部４２ａとは逆側の端部に設けられている。本実施形態では、係合部４１は、胴部４２ｂの貯留空間と外部とを連通するように、開口が形成されている。本実施形態では、係合部４１は略筒状に形成され、外周に雄ネジが形成されている。係合部４１は、上述したように、本体部２に形成された被係合部２１に係合する。
【００２８】
つぎに、本実施形態の刷毛１の使用方法の一例について説明する。なお、以下の説明はあくまで一例であり、本発明は以下の説明により限定されるものではない。
【００２９】
図１に示されるように、把持容器４に液体が充填された後、把持容器４の係合部４１と本体部２の被係合部２１を係合させて、本体部２を把持容器４に取り付けて、液体の塗布の準備を行う。食品に液体を塗布する前は、図４に示されるように、刷毛１を台の上などに倒立状態で載置しておく。これにより、把持容器４内の液体が毛材３側に流れることなく、液体を無駄にすることがなく、周囲を汚したりすることがない。
【００３０】
食品へ液体を塗布する場合は、図２に示されるように、毛材３の先端３ａ側が下方となるように、使用者により刷毛１の把持容器４が把持される。把持容器４内の液体は、把持容器４内の貯留空間内から連通路２２を介して毛材３の基端３ｂ側へと流れる。なお、弁体２３が設けられている場合には、図２の状態では、弁体２３は閉止され、毛材３の基端３ｂ側への液体の流動が防がれている。この場合、可撓性を有する把持容器４の外周部（容器本体４２）を押圧し、圧力を加えることにより、弁体２３が開放され、容器本体４２内部の液体は、連通路２２を通って毛材３の基端３ｂ側に供給される。この場合、食品への塗布量に応じて、押圧の回数や強さにより、容器本体４２から供給される液体の量を調整することができる。また、本実施形態の刷毛１によれば、必要以上に液体が毛材３側に供給されることがなく、液体を節約することができるとともに、液体がたれることによる周囲の汚れを防止することができる。そして、本実施形態では、把持容器４が、刷毛１の把持部としての機能と、液体の吐出操作部としての機能を兼ねているため、作業性が向上し、食品に液体を塗りながら液体の量を調整することができる。したがって、従来のように、刷毛を、別途用意された液体が入った容器に浸けて、食品と容器との間を往復する作業の必要がない。撥水性が高い合成樹脂製の毛材３を用いると、毛材３から液体が流れ落ちる速度が速いため、液体が周囲にこぼれやすいが、本実施形態の刷毛１によれば、別途用意された容器に毛材３を浸ける必要がないため、液体が周囲にこぼれることが防がれる。そして、毛材３は撥水性が高いため、毛材３の基端３ｂ側から液体を供給すると、すぐに毛材３の先端３ａ側に液体が移動するため、作業スピードも速くなる。
【００３１】
＜第２実施形態＞
つぎに、本発明の刷毛１の第２実施形態について図５を用いて説明する。なお、以下の説明において、上述した実施形態と共通する事項についての説明は省略し、相違点を中心に説明する。なお、本実施形態の構成と上述した内容とを組み合わせて用いることができることは言うまでもない。
【００３２】
第２実施形態の刷毛１は、把持容器４に開閉可能な開閉部材４３が設けられている。開閉部材４３は、把持容器４の貯留空間へと液体を供給できるように開閉する。開閉部材４３の構造は特に限定されないが、本実施形態では、開閉可能なヒンジ部４３ａと蓋体４３ｂとを有し、蓋体４３ｂに設けられた係止爪Ｃが容器本体４２に設けられた係止突起Ｐに係合して、容器本体４２に形成された開口を開閉するように構成されている。なお、開閉部材４３は、たとえば、図５における容器本体４２の上端に雌ネジ部を設け（図示せず）、その容器本体４２の雌ネジ部に螺合するキャップ部材などとしてもよい。
【００３３】
第２実施形態の刷毛１は、第１実施形態で説明した効果に加えて、把持容器４に開閉可能な開閉部材４３が設けられることにより、把持容器４を本体部２から取り外すことなく、液体の充填が可能となる。そのため、液体の充填の作業効率が向上する。なお、把持容器４は、本実施形態では本体部２から取り外し可能に構成しているが、把持容器４と本体部２とを一体に成形してもよい。
【００３４】
＜第３実施形態＞
つぎに、本発明の刷毛１の第３実施形態について図６を用いて説明する。なお、以下の説明において、上述した実施形態と共通する事項についての説明は省略し、相違点を中心に説明する。なお、本実施形態の構成と上述した内容とを組み合わせて用いることができることは言うまでもない。
【００３５】
第３実施形態の刷毛１は、図６に示されるように、把持容器４が、外部から押圧可能な可撓性を有する被押圧部４Ａと、被押圧部４Ａよりも剛性が高い、把持容器４を把持するための把持部４Ｂとを備えている。本実施形態では、被押圧部４Ａは、上述した実施形態における容器本体４２と同様の構成を有しているが、上述した実施形態における容器本体４２と異なる構成としても構わない。被押圧部４Ａは、押圧可能な可撓性材料により形成され、毛材３側に液体を供給する際に押圧される。
【００３６】
把持部４Ｂは、液体を食品に塗布する際に把持されたときに被押圧部４Ａが押圧されないように所定の剛性を有している。把持部４Ｂの材料は特に限定されないが、把持部４Ｂは、たとえば、被押圧部４Ａよりも高い剛性を有しており、たとえば、硬質樹脂などにより形成される。
【００３７】
第３実施形態の刷毛１は、第１実施形態で説明した効果に加えて、刷毛１の把持容器４が、被押圧部４Ａと把持部４Ｂとを備えているため、液体を毛材３側に供給したいときは、被押圧部４Ａを押圧することができ、液体の毛材３側への供給を停止させ、食品に液体を塗布するときは、把持部４Ｂを把持すればよい。したがって、液体の毛材３側への供給を正確に行うことができ、不意に力が加わって、毛材３へと過剰な液体が供給されることを防ぐことができる。
【００３８】
なお、本実施形態では、把持部４Ｂは、本体部２側となる容器本体４２の一端から、底部４２ａが設けられた容器本体４２の他端まで容器本体４２の幅よりも狭くなるように、容器本体４２の軸方向（毛材３の延在方向）に延びている。容器本体４２は、把持部４Ｂから容器本体４２の軸方向に対して垂直な方向にはみ出すように設けられ、はみ出した部分が被押圧部４Ａとして構成されている。しかし、被押圧部４Ａおよび把持部４Ｂの位置関係や、形成される領域は特に限定されない。たとえば、容器本体４２の胴部４２ｂのうち底部４２ａ側の領域を被押圧部４Ａとし、容器本体４２の胴部４２ｂのうち本体部２側の領域を把持部４Ｂとしてもよい。また、容器本体４２の胴部４２ｂのうち底部４２ａ側の領域を把持部４Ｂとし、容器本体４２の胴部４２ｂの本体部２側の領域を被押圧部４Ａとしてもよい。
【００３９】
また、把持部４Ｂは、本実施形態では、容器本体４２の外側に設けられているが、容器本体４２を、異なる材料を用いて成形することにより、高剛性部分となる把持部４Ｂと、軟質部分（可撓性部分）となる被押圧部４Ａとを形成してもよい。また、たとえば、容器本体４２の厚さを部分的に変更し、肉厚とされた高剛性部分となる把持部４Ｂと、薄肉とされた可撓性部分となる被押圧部４Ａとを形成してもよい。
【００４０】
＜第４実施形態＞
つぎに、本発明の刷毛１の第４実施形態について図７を用いて説明する。なお、以下の説明において、上述した実施形態と共通する事項についての説明は省略し、相違点を中心に説明する。なお、本実施形態の構成と上述した内容とを組み合わせて用いることができることは言うまでもない。
【００４１】
第４実施形態の刷毛１は、図７に示されるように、把持容器４が、液体を貯留する、外部から押圧可能な可撓性を有する袋状の内層４０Ａと、内層４０Ａの外側を少なくとも部分的に覆い、袋状の内層４０Ａよりも剛性が高い外層４０Ｂとを備えている。本実施形態では、内層４０Ａのうち、外層４０Ｂに被覆されていない部位４００Ａ（以下、露出部４００Ａという）が被押圧部となり、外層４０Ｂが把持部となる。
【００４２】
内層４０Ａは、押圧可能な可撓性材料により形成され、露出部４００Ａが押圧されることにより、毛材３側に液体が供給される。一方、外層４０Ｂは、液体を食品に塗布する際に把持されたときに内層４０Ａが押圧されないように所定の剛性を有している。外層４０Ｂの材料は特に限定されないが、外層４０Ｂは、たとえば、内層４０Ａよりも高い剛性を有しており、たとえば、硬質樹脂などにより形成される。
【００４３】
第４実施形態の刷毛１は、第１実施形態で説明した効果に加えて、刷毛１の把持容器４が、内層４０Ａと外層４０Ｂとを有し、露出部４００Ａが押圧されることにより、毛材３側に液体の供給が可能となる。また、外層４０Ｂが把持されている際には、露出部４００Ａを含む内層４０Ａは押圧されず、液体の毛材３側への供給が停止され、食品に液体を塗布する際に安定して把持することができる。したがって、不意に力が加わって、毛材３へと過剰な液体が供給されることを防ぐことができる。
【００４４】
なお、本実施形態では、外層４０Ｂに窓状の開口が形成され、その窓状の開口から内層４０Ａが露出している。しかし、露出部４００Ａは、外層４０Ｂに形成された開口部から押圧可能に露出していればよく、図示する形状や数、大きさに限定されるものではない。
【００４５】
上記実施形態では、本体部２と把持容器４とは、把持容器４の係合部４２に設けられた雄ネジに本体部２の被係合部２１に設けられた雌ネジが螺合することにより着脱可能に構成されている。しかし、本体部２に雄ネジ部を形成し、把持容器４に雌ネジ部を形成してもよい。また、本体部２と把持容器４とは、螺合以外の係合構造により着脱可能としてもよい。
【００４６】
また、上記実施形態では、本体部２と把持容器４とが着脱可能なものを示したが、本体部２と把持容器４とは一体に形成されていてもよい。
【００４７】
また、上記実施形態では、連通路２２が弁体２３により開閉可能に構成されているが、たとえば、弁体２３を設けずに、連通路２２を毛管状に形成して容器本体４２（または被押圧部４Ａ、露出部４００Ａ）が押圧されないときには連通路２２から液体が毛材３側に供給されにくくして、容器本体４２（または被押圧部４Ａ、露出部４００Ａ）が押圧されたときに、連通路２２から液体が毛材３側に供給されるように構成してもよい。
【００４８】
また、上述した実施形態において、刷毛１の各部材（本体部２、毛材３、把持容器４など）を構成する材料は合成樹脂材料を用いることができるが、その場合、刷毛１の各部材を構成する合成樹脂材料に磁性粉や金属粉が混入されていてもよい。磁性粉や金属粉が刷毛１を構成する部材に混入されていることにより、たとえば食品加工工場において、刷毛１の各部材が破損して、食品内に万が一それらの破片が混入してしまった場合であっても、金属探知機や、磁力を用いて破片を吸着するマグネットキャッチャー、Ｘ線検知器などにより確実かつ容易に破片を回収することができる。
【符号の説明】
【００４９】
１  刷毛
２  本体部
２ａ  本体部の一端
２ｂ  本体部の他端
２１  被係合部
２２  連通路
２３  弁体
３  毛材
３ａ  毛材の先端
３ｂ  毛材の基端
４  把持容器
４１  係合部
４２  容器本体
４２ａ  底部
４２ｂ  胴部
４３  開閉部材
４３ａ  ヒンジ部
４３ｂ  蓋体
４Ａ  被押圧部
４Ｂ  把持部
４０Ａ  内層
４０Ｂ  外層
４００Ａ  露出部
５  囲い部
Ｃ  係止爪
Ｐ  係止突起
【図１】
2017225590.tif 000003
【図２】
2017225590.tif 000004
【図３】
2017225590.tif 000005
【図４】
2017225590.tif 000006
【図５】
2017225590.tif 000007
【図６】
2017225590.tif 000008
【図７】
2017225590.tif 000009